(57)【特許請求の範囲】
【請求項１】
出力が可変である直流電源回路と、直流電源回路の出力から生成した交番電圧を高圧放電ランプに印加する極性反転回路と、外部から同期信号が与えられ同期信号に基づくタイミングで直流電源回路の出力と極性反転回路による極性反転のタイミングとを制御する制御回路とを備え、制御回路は、同期信号毎に高圧放電ランプに印加する電圧の極性を反転させるとともに、高圧放電ランプに印加する電圧の極性が反転してから次に反転するまでの期間のランプ電流を高圧放電ランプが点灯する規定値と規定値よりも大きい増加値とから選択し、ランプ電流として増加値を選択するときには隣接する一対の同期信号の間の期間内で高圧放電ランプに印加する電圧の極性を反転させ、かつ当該期間内でランプ電流が増加値となる期間を前記規定値となる期間よりも短く設定していることを特徴とする高圧放電灯点灯装置。
【請求項２】
前記規定値と前記増加値との比率はランプ電圧によらず一定であることを特徴とする請求項１記載の高圧放電灯点灯装置。
【請求項３】
前記制御回路は、前記同期信号が与えられる時間間隔よりも長い制限時間を同期信号が与えられるたびに時限し、制限時間の時限中に同期信号が与えられずに制限時間の時限が終了したときには、あらかじめ設定されている制御パターンに従ってランプ電流と電圧の極性とを制御することを特徴とする請求項１または請求項２記載の高圧放電灯点灯装置。
【請求項４】
請求項１ないし請求項３のいずれか１項に記載の高圧放電灯点灯装置を備え、前記高圧放電ランプを光源に用いたことを特徴とする画像表示装置。
【請求項５】
複数個の色領域を有し時間経過に伴って前記高圧放電ランプからの光を各色領域に周期的に透過させるカラーフィルタと、カラーフィルタの各色領域を高圧放電ランプからの光が透過するタイミングで前記同期信号を発生させる主制御回路とを備え、前記制御回路は、カラーフィルタの色変化の１周期の期間として、高圧放電ランプに印加する電圧の極性を奇数回反転させる期間と、高圧放電ランプに印加する電圧を偶数回反転させる期間とを交互に設けていることを特徴とする請求項４記載の画像表示装置。
【請求項６】
少なくともランプ電流を増加値としている期間には光を投影しないことを特徴とする請求項４記載の画像表示装置。
【請求項７】
複数個の色領域を有し時間経過に伴って前記高圧放電ランプからの光を各色領域に周期的に透過させるカラーフィルタと、カラーフィルタの各色領域を高圧放電ランプからの光が透過するタイミングで前記同期信号を発生させる主制御回路とを備え、前記制御回路は、カラーフィルタの色変化の１周期の期間において高圧放電ランプに印加する電圧の極性を奇数回反転させることを特徴とする請求項６記載の画像表示装置。
【発明の詳細な説明】
【技術分野】
【０００１】
本発明は、投影型の画像表示装置の光源として用いられている高圧放電灯の点灯に適した高圧放電灯点灯装置およびその高圧放電灯点灯装置を用いた画像表示装置に関するものである。
【背景技術】
【０００２】
従来から、画像をスクリーンに投影する投影型の画像表示装置が提供されている。近年では、この種の画像表示装置として、液晶表示器に光源からの光を透過させる形式のものと、多数個の微小なミラーを配列したＤＭＤ（Digital Micro Mirror Device）と称する素子により光源からの光を反射させる形式のものとが普及してきている。また、画像をスクリーンの前方から投影する一般的なプロジェクタと後方から投影するリアプロジェクション方式とが知られている。この種の画像表示装置の光源には、小型かつ高輝度であるところから、高圧放電ランプ（ＨＩＤランプ）が採用されている。
【０００３】
画像の形成に液晶表示器を用いるかＤＭＤを用いるかにはかかわらず、この種の画像表示装置の光源ではちらつきを抑制することが課題になっている。画像表示装置の光源に用いる高圧放電ランプは点光源に近づけるために、アーク長が２ｍｍ程度と短いものであるから、電極の形状がわずかに変化しただけでもアークの位置がずれることになる。つまり、アークの端位置が電極の温度や表面の状態に依存して不安定になり、アークの端位置がジャンプするいわゆるアークジャンプという現象が生じやすくなる。アークジャンプが生じると、高圧放電ランプからの光出力にフリッカを生じ、投影された画像の輝度が低下したり、画像の明るさの変化によって画像が見にくくなるという問題が生じる。
【０００４】
交流点灯させる高圧放電ランプにおいてフリッカの発生を抑制する技術としては、高圧放電ランプの電極の温度の低下やバルブ内の温度の低下を抑制するために、高圧放電ランプに印加する電圧の極性が複数回反転するたびに、少なくとも１回は次の極性反転までの期間におけるランプ電流の絶対値を他の期間よりも増加させる技術がある（たとえば、特許文献１参照）。
【０００５】
また、特許文献１には、ＤＭＤを用いたプロジェクタの光源として高圧放電ランプを用いる場合を例示してある。ＤＭＤを用いるプロジェクタでは、回転方向において複数色の領域を並べたカラーフィルタを回転させ、高圧放電ランプからの光をカラーフィルタに通過させることによって、時間経過に伴って光色を変化させている。つまり、時間経過に伴ってＤＭＤに照射する光色を変化させることにより、表示する画像の光色を変化させるのである。
【０００６】
高圧放電ランプに印加する電圧の極性が反転する際には高圧放電ランプの光出力が低下するから、光出力の変化による画像への影響を抑制するために、特許文献１には、高圧放電ランプに印加する電圧の極性を反転させるタイミングをカラーフィルタの各色の境界に同期させることが記載されている。ただし、特許文献１に記載の構成では、カラーフィルタにおいて高圧放電ランプからの光が赤色の領域を透過する時間を他色の領域を高圧放電ランプからの光が透過する時間よりも長くしてあり、赤色の領域に光を透過させる期間だけは、高圧放電ランプに印加する電圧の極性の切換を行っている。
【０００７】
ところで、特許文献１に記載された構成例では、カラーフィルタの各色のすべての境界において高圧放電ランプに印加する電圧の極性を反転させているが、印加する電圧の極性を反転させるタイミングによっては以下のような問題が生じる。
【０００８】
ここで、カラーフィルタ２０として、図１６に示すように色分けがなされたものを想定する。例示しているカラーフィルタ２０は、円盤状に形成され図に矢印で示す一方向に回転するものであって、回転方向において、ほぼ半周の領域を赤色領域Ｒとし、残り半周の領域を緑色領域Ｇと青色領域Ｂとに分割してある。また、回転方向における範囲について青色領域Ｂを緑色領域Ｇより大きくしてある。矢印Ｘはカラーフィルタ２０の回転方向を示す。したがって、赤色領域Ｒ→緑色領域Ｇ→青色領域Ｂ→赤色領域Ｒ……という順で高圧放電ランプからの光が透過する。
【０００９】
カラーフィルタが１回転するたびに高圧放電ランプに印加する電圧の極性を反転させる場合について検討する。図１７（ａ）は高圧放電ランプからの光が通過するカラーフィルタ２０の色領域を示しており、上述のようにカラーフィルタ２０が回転することにより時間経過に伴って色領域が変化することを表している。図１７（ｂ）はカラーフィルタ２０を駆動源（一般に電動モータ）によって回転させる際に取り出される同期信号（図は同期信号の立ち上がりエッジなどに対応したタイミング信号を現している）であって、ここではカラーフィルタ２０の１回転毎に１個の同期信号を発生させている。
【００１０】
カラーフィルタ２０の回転に同期させて同期信号を発生させる技術としては、駆動源がステップモータである場合は駆動源に与える信号から同期信号を生成する技術を採用することができ、駆動源に与える信号から同期信号を生成することができない場合にはカラーフィルタ２０の回転軸にロータリエンコーダのようなセンサを結合して同期信号を取り出す技術を採用することができる。あるいはまた、カラーフィルタ２０の適所に回転位置を検出するための透孔を形成しておき、透孔の位置をフォトインタラプタにより検出する技術なども採用することができる。
【００１１】
図１７（ｃ）は高圧放電ランプに流れるランプ電流を示しており、ここでは、カラーフィルタ２０が１回転して同期信号が発生するたびに極性（高圧放電ランプに印加する電圧の極性）を反転させている。上述のように、電極の温度やバルブ内の温度の低下を抑制するために、図示例では印加電圧の極性が３回反転するたびに、他の期間よりもランプ電流を大きくする動作を示している。
【００１２】
図１７に示す動作となるように高圧放電ランプのランプ電流を制御すれば、カラーフィルタ２０が３回転する間に１回ずつ光出力が増加することになるが、カラーフィルタ２０が１回転する間に色が変化しても光出力は変化しないから、明度が周期的に変化するものの光色には変化が生じない。また、明度の変化が知覚されないようにカラーフィルタ２０を高速で回転させれば明度が変化することについても問題はなく、表示画像の色調に不都合を生じることはない。
【００１３】
しかしながら、高圧放電ランプに印加する電圧の極性反転の時間間隔は、カラーフィルタ２０の１回転の時間に一致しており、カラーフィルタ２０の回転数は制限されるから、電極の温度やバルブ内の温度を維持するのに適した時間間隔に設定できない可能性が生じる。
【００１４】
カラーフィルタ２０の回転数は一般に３０００〜１０８００ｒｐｍであって、上述のようにカラーフィルタ２０が１回転するたびに高圧放電ランプに印加する電圧の極性を反転させる場合には、高圧放電ランプへの印加電圧の周波数は２５〜９０Ｈｚになる。このような低い周波数では、電極の温度やバルブ内の温度を維持するのが困難であって、温度の低下に伴って光出力が変化してちらつきが発生したり、ランプ寿命が短くなったりする可能性がある。
【特許文献１】特開２００５−３８８１５号公報
【発明の開示】
【発明が解決しようとする課題】
【００１５】
一方、特許文献１に記載された構成では、カラーフィルタ２０の色領域の境界ごとに高圧放電ランプに印加する電圧の極性を反転させているから、カラーフィルタ２０が１回転する間に印加電圧の極性が複数回（少なくともカラーフィルタ２０に設けた色領域の個数分の回数）変化する。たとえば、カラーフィルタ２０が１回転するたびに１回ずつランプ電流を増加させる期間（極性の反転から次の反転までの期間）を設けることになる。したがって、図１７に示す動作では、カラーフィルタ２０が２回転すると次の１回転でランプ電流を増加させる動作であったのに対して、カラーフィルタ２０が１回転するたびにランプ電流を増加させる動作であるから、電極やバルブの温度の低下を抑制することが可能になる。特許文献１に記載された例では、カラーフィルタ２０の赤色領域に同期させてランプ電流を増加する期間を設けている。
【００１６】
ところで、カラーフィルタ２０が１回転する間の適宜期間においてランプ電流を増加させるには、図１８（ａ）のようにカラーフィルタ２０の各色領域が変化するときに、図１８（ｂ）のように色領域が変化するたびに同期信号を発生させることが必要になる。ただし、同期信号にはカラーフィルタ２０の色領域の情報が含まれていないから、図１８（ｃ）のように、初期状態において青色領域と赤色領域との境界のタイミングで発生する同期信号によってランプ電流を増加させるタイミングを設定するとともに、以後は３回の極性反転のたびにランプ電流を増加させる期間を設けるように設定したとしても、タイミングのずれによって、図１８（ｄ）のように緑色領域に同期してランプ電流が増加したり、図１４８ｅ）のように青色領域に同期してランプ電流が増加したりする場合が生じる可能性がある。このようにランプ電流を増加させる期間とカラーフィルタ２０の色領域との関係にずれが生じると、色調に変化を生じるという問題が発生する。
【００１７】
本発明は上記事由に鑑みて為されたものであり、その目的は、高圧放電ランプに印加する電圧の極性反転回数を同期信号の発生回数よりも多くするとともにランプ電流を増加させる期間を短くすることにより、電極の温度やバルブ内の温度を維持しやすくして光出力の変化を抑制した高圧放電灯点灯装置を提供し、さらにその高圧放電灯点灯装置を用いた画像表示装置を提供することにある。
【課題を解決するための手段】
【００１８】
請求項１の発明は、出力が可変である直流電源回路と、直流電源回路の出力から生成した交番電圧を高圧放電ランプに印加する極性反転回路と、外部から同期信号が与えられ同期信号に基づくタイミングで直流電源回路の出力と極性反転回路による極性反転のタイミングとを制御する制御回路とを備え、制御回路は、同期信号毎に高圧放電ランプに印加する電圧の極性を反転させるとともに、高圧放電ランプに印加する電圧の極性が反転してから次に反転するまでの期間のランプ電流を高圧放電ランプが点灯する規定値と規定値よりも大きい増加値とから選択し、ランプ電流として増加値を選択するときには隣接する一対の同期信号の間の期間内で高圧放電ランプに印加する電圧の極性を反転させ、かつ当該期間内でランプ電流が増加値となる期間を前記規定値となる期間よりも短く設定していることを特徴とする。
【００１９】
この構成によれば、ランプ電流を増加させる期間を設ける場合に、高圧放電ランプに印加する電圧の極性を隣接する一対の同期信号の間の期間内で反転させ、しかもランプ電流を増加させる期間は規定値の期間よりも短いから、同期信号の発生タイミングでのみ高圧放電ランプに印加する電圧の極性を反転させる従来構成に比較すると、ランプ電流を増加させる１回当たりの期間が短くなり逆にランプ電流を増加させる頻度が多くなることによって、高圧放電ランプの電極やバルブ内の温度を維持しやすくなり、光出力の変化や電極の損耗を抑制することができる。
【００２０】
請求項２の発明では、請求項１の発明において、前記規定値と前記増加値との比率はランプ電圧によらず一定であることを特徴とする。
【００２１】
この構成によれば、ランプ電圧が変動しても規定値と増加値とに対応した高圧放電ランプの光出力の相対比が一定に保たれるから、ランプ電圧に変動があってもランプ電流の増加時に光出力が極端に増加して違和感を生じることがない。
【００２２】
請求項３の発明では、請求項１または請求項２の発明において、前記制御回路は、前記同期信号が与えられる時間間隔よりも長い制限時間を同期信号が与えられるたびに時限し、制限時間の時限中に同期信号が与えられずに制限時間の時限が終了したときには、あらかじめ設定されている制御パターンに従ってランプ電流と電圧の極性とを制御することを特徴とする。
【００２３】
この構成によれば、次の同期信号が与えられない場合であっても、高圧放電ランプに印加する電圧の極性が反転されずに直流電流が流れ続けることを防止することができる。つまり、同期信号が与えられた後に次の同期信号が与えられなくとも制限時間が経過すれば高圧放電ランプに印加する電圧の極性が反転するから、高圧放電ランプの電極の消耗を防止することができる。
【００２４】
請求項４の発明は、画像表示装置であって、請求項１ないし請求項３のいずれか１項に記載の高圧放電灯点灯装置を備え、前記高圧放電ランプを光源に用いたことを特徴とする。
【００２５】
この構成によれば、光出力の変化が少なく、画像のちらつきや色味の変化の少ない画像表示装置を提供することができる。また、高圧放電ランプの電極の損耗を抑制することができるからランプの交換頻度を低減することができる。
【００２６】
請求項５の発明では、請求項４の発明において、複数個の色領域を有し時間経過に伴って前記高圧放電ランプからの光を各色領域に周期的に透過させるカラーフィルタと、カラーフィルタの各色領域を高圧放電ランプからの光が透過するタイミングで前記同期信号を発生させる主制御回路とを備え、前記制御回路は、カラーフィルタの色変化の１周期の期間として、高圧放電ランプに印加する電圧の極性を奇数回反転させる期間と、高圧放電ランプに印加する電圧を偶数回反転させる期間とを交互に設けていることを特徴とする。
【００２７】
この構成は、高圧放電ランプからの光が透過する色領域が時間経過に伴って変化するカラーフィルタと併用することを前提としており、カラーフィルタの色変化の複数周期で平均するとランプ電流が増加する期間は各色領域で同時間になるので、仮に同期信号に対してランプ電流を増加させる期間にずれが生じたとしても、カラーフィルタの色変化の複数周期の平均ではランプ電流の増加する期間に変動は生じない。つまり、カラーフィルタの色変化の複数周期の間の色変化が知覚されない程度にカラーフィルタの色変化の周期を短く設定しておけば、同期信号のずれによる実質的な色味の変化は生じない。
【００２８】
請求項６の発明は、請求項４の発明において、少なくともランプ電流を増加値としている期間には光を投影しないことを特徴とする。
【００２９】
この構成によれば、ランプ電流が増加している期間には高圧放電ランプからの光を利用しないから、ランプ電流の増加に伴う光出力の増加が表示に反映されることがなく、ランプ電流を増加させる期間において、高圧放電ランプの光出力の変動や電極の損耗を抑制するのに最適なランプ電流を与えることができる。
【００３０】
請求項７の発明では、請求項６の発明において、複数個の色領域を有し時間経過に伴って前記高圧放電ランプからの光を各色領域に周期的に透過させるカラーフィルタと、カラーフィルタの各色領域を高圧放電ランプからの光が透過するタイミングで前記同期信号を発生させる主制御回路とを備え、前記制御回路は、カラーフィルタの色変化の１周期の期間において高圧放電ランプに印加する電圧の極性を奇数回反転させることを特徴とする。
【００３１】
この構成によれば、カラーフィルタの色変化の１周期において高圧放電ランプに印加する電圧の極性を奇数回反転させるから、カラーフィルタの色変化の周期毎にランプ電流の増加する極性が毎回反転することになり、電極の損耗に偏りが生じない。また、ランプ電流の増加する期間は高圧放電ランプからの光は利用しないから、ランプ電流を増加させるタイミングと同期信号との関係にずれを生じても、投影された画像の色味に変化を生じることがない。
【発明の効果】
【００３２】
本発明の構成によれば、ランプ電流を増加させる期間を設ける場合に、高圧放電ランプに印加する電圧の極性を隣接する一対の同期信号の間の期間内で反転させ、しかもランプ電流を増加させる期間は規定値の期間よりも短いから、同期信号の発生タイミングでのみ高圧放電ランプに印加する電圧の極性を反転させる従来構成に比較すると、ランプ電流を増加させる１回当たりの期間が短くなり逆にランプ電流を増加させる頻度が多くなる。その結果、高圧放電ランプの電極やバルブ内の温度を維持しやすくなり、光出力の変化や電極の損耗を抑制することができるという効果を奏する。
【００３３】
また、この高圧放電灯点灯装置を高圧放電ランプを光源とする画像表示装置に用いると、ちらつきがなく色味の変化のない画像を表示することができる上に、高圧放電ランプの交換頻度を少なくすることができる。
【発明を実施するための最良の形態】
【００３４】
以下に説明する各実施形態に用いる高圧放電灯点灯装置は図６に示す構成を有しているものとする。ただし、この構成例は一例であって、同様の動作が可能な構成であれば、図６に示す回路構成と一致している必要はない。また、図６に示す高圧放電灯点灯装置は、図７に示すようなＤＭＤを用いたプロジェクタにとくに適したものであって、高圧放電ランプへの印加電圧の極性を反転させるタイミングを、プロジェクタに設けたカラーフィルタの回転に同期させる構成を採用している。
【００３５】
プロジェクタでは、図７に示すように、カラーフィルタ２０を回転させる駆動源（図示せず）を制御するための主制御回路２１を備え、主制御回路２１からは駆動源を制御する制御信号Ｓｃと、カラーフィルタ２０の回転に同期した同期信号Ｓｓとが出力される。同期信号を発生させるタイミングについては各実施形態において説明する。
【００３６】
カラーフィルタ２０の一面側には光源としての高圧放電ランプＬａが配置され、他面側にはＤＭＤ１１が配置される。また、高圧放電ランプＬａとカラーフィルタ２０との間、およびカラーフィルタ２０とＤＭＤ１１との間にはそれぞれレンズ１２，１３が配置され、高圧放電ランプＬａから出射された光を収束させてカラーフィルタ２０を通過させ、カラーフィルタ２０を通過した光を発散させてＤＭＤ１１に照射するようにしてある。ＤＭＤ１１で反射された光は投射レンズ１４を通してスクリーンに投影される。
【００３７】
高圧放電ランプＬａは、高圧放電灯点灯装置３０から電力が供給される。この高圧放電灯点灯装置３０に、主制御回路２１から出力された同期信号Ｓｓが入力される。
【００３８】
高圧放電灯点灯装置３０は、図６に示すように、直流電源ＤＣの電圧を降圧する直流電源回路としての降圧チョッパ回路１と、降圧チョッパ回路１から出力される直流電圧を矩形波交番電圧に変換するフルブリッジ回路２と、チョッパ回路１およびフルブリッジ回路２の動作を制御する制御回路３と、フルブリッジ回路２から出力される矩形波交番電圧により共振する共振回路４と、平滑コンデンサＣ１の端子電圧を高圧放電ランプＬａのランプ電圧Ｖｌａに相当する電圧として検出する電圧検出回路５とを備える。フルブリッジ回路２と共振回路４とは高圧放電ランプＬａに交番電圧を印加する極性反転回路として機能する。電圧検出回路５は、抵抗Ｒ２，Ｒ３の直列回路であって平滑コンデンサＣ１に並列接続され、抵抗Ｒ３の両端電圧をランプ電圧Ｖｌａに相当する電圧として検出する（以下では、抵抗Ｒ３の両端電圧をランプ電圧Ｖｌａという）。
【００３９】
チョッパ回路１への入力電圧を与える直流電源ＤＣは、必ずしも安定電圧である必要はなく、商用電源を整流した脈流であってもよい。チョッパ回路１は、スイッチング素子Ｑ１とインダクタＬ１と平滑コンデンサＣ１との直列回路が直流電源ＤＣの両端間に接続され、インダクタＬ１と平滑コンデンサＣ１との直列回路に並列にダイオードＤ１を接続した構成を有する。ダイオードＤ１は平滑コンデンサＣ１の負極にアノードが接続されている。また、ダイオードＤ１のアノードと直流電源ＤＣの負極との間には、スイッチング素子Ｑ１がオンであるときのチョッパ電流を検出するための抵抗Ｒ１が挿入される。
【００４０】
フルブリッジ回路２は、４個のスイッチング素子Ｑ２〜Ｑ５をブリッジ接続した回路であって、スイッチング素子Ｑ２，Ｑ３の直列回路とスイッチング素子Ｑ４，Ｑ５の直列回路とをそれぞれ平滑コンデンサＣ１の両端間に接続した構成を有している。各スイッチング素子Ｑ２〜Ｑ５のオンオフは、ドライブ回路（たとえば、ＩＲ製のＩＲ２１１１）ＤＶ１，ＤＶ２の出力により制御される。基本的な動作としては、スイッチング素子Ｑ２，Ｑ５が同時にオンになりかつスイッチング素子Ｑ３，Ｑ４がともにオフになる期間と、スイッチング素子Ｑ３，Ｑ４が同時にオンになりかつスイッチング素子Ｑ２，Ｑ５がともにオフになる期間とを交互に繰り返すように動作する。したがって、スイッチング素子Ｑ２，Ｑ３の接続点とスイッチング素子Ｑ４，Ｑ５の接続点との間の電圧を交番させることができる。
【００４１】
スイッチング素子Ｑ２，Ｑ３の接続点とスイッチング素子Ｑ４，Ｑ５の接続点との間には、インダクタＬ２とコンデンサＣ２との直列回路からなる共振回路４が接続され、さらにコンデンサＣ２には高圧放電ランプＬａが並列接続される。高圧放電ランプＬａの始動時には、スイッチング素子Ｑ２〜Ｑ５が高周波でスイッチングされ、共振回路４を設けていることにより高圧放電ランプＬａに数ｋＶの共振電圧が印加される。高圧放電ランプＬａの始動後には、高圧放電ランプＬａに数十〜数百Ｈｚの低周波で矩形波交番電圧が印加される。スイッチング素子Ｑ１〜Ｑ５には図示するＭＯＳＦＥＴのほかバイポーラトランジスタのコレクタ−エミッタにダイオードを逆並列に接続（コレクタ−エミッタを流れる電流の向きとは逆向きが順方向になるように並列に接続）したものやＩＧＢＴなどを用いることができる。
【００４２】
チョッパ回路１のスイッチング素子Ｑ１およびフルブリッジ回路２のスイッチング素子Ｑ２〜Ｑ５のオンオフは制御回路３により制御される。制御回路３は、主制御回路２１から出力された同期信号Ｓｓを受けるとともに、フルブリッジ回路２の各スイッチング素子Ｑ２〜Ｑ５のうち同時にオンにする組と同時にオフにする組とに対応した２種類のブリッジ制御信号ＦＢ１，ＦＢ２を生成する極性反転処理部３１を備える。
【００４３】
極性反転処理部３１では、同期信号Ｓｓの立ち上がりエッジまたは立ち下がりエッジを検出するか、あるいは同期信号Ｓｓの変化点を検出し、検出した起点に基づいてフルブリッジ制御信号ＦＢ１，ＦＢ２を生成する。ブリッジ制御信号ＦＢ１，ＦＢ２は一方がＨレベルのときに他方がＬレベルになる矩形波信号であって、フルブリッジ制御部３２にブリッジ制御信号ＦＢ１，ＦＢ２が入力されることにより各スイッチング素子Ｑ２〜Ｑ５のオンオフを制御する制御信号が生成され、制御信号が各ドライブ回路ＤＶ１，ＤＶ２を通して各スイッチング素子Ｑ２〜Ｑ５のオンオフの制御に用いられる。
【００４４】
極性反転処理部３１は、同期信号Ｓｓによって後述する切換信号Ｓ１を生成する機能も備える。本発明は従来構成と同様に、高圧放電ランプＬａが安定に点灯している期間においてランプ電流を一時的に増加させた増加値とする期間を設けるものであって、ランプ電流を増加値とする期間を切換信号Ｓ１により決定している。
【００４５】
以下では、高圧放電ランプＬａが安定に点灯している期間のランプ電流を規定値と呼ぶ。高圧放電ランプＬａへの供給電力を一定に保つように定電力制御を行うときの平均電流を基準値とし、増加値を含めた平均電流を基準値に保つように規定値を設定すれば高圧放電ランプＬａに供給する電力がランプ電流を基準値とした場合に等しくなり、増加値を含めない平均電流を基準値に保つように規定値を設定すれば高圧放電ランプＬａに供給する電力がランプ電流を基準値とした場合よりも増加する。規定値と増加値との関係は、上述した２種類の関係のいずれかとする。
【００４６】
ランプ電流の調節は、チョッパ回路１の出力電圧を変化させることにより行う。すなわち、チョッパ回路１のスイッチング素子Ｑ１のオンデューティを変化させることによってランプ電流を調節する構成を採用している。スイッチング素子Ｑ１のオンオフを制御するＰＷＭ信号はＰＷＭ制御回路３６が生成しており、ＰＷＭ制御回路３６では入力電圧に応じたオンデューティのＰＷＭ信号を出力する。そこで、２種類の電圧をあらかじめ発生させておき、ＰＷＭ制御回路３６への入力電圧を切換信号Ｓ１に同期させて切り換えることにより、２種類のオンデューティのＰＷＭ信号を切換信号Ｓ１に同期させてスイッチング素子Ｑ１に与えることが可能になる。
【００４７】
ＰＷＭ制御回路３６に与える２種類の電圧を発生させるために、制御回路３には、電圧検出回路５で検出されるランプ電圧Ｖｌａに対して２段階のランプ電流データＩｐ１，Ｉｐ２を対応付けたデータテーブル３３を設けてある。ランプ電流データＩｐ１は、高圧放電ランプＬａの安定点灯時におけるランプ電圧Ｖｌａに対応するランプ電流の値（規定値）を持つデータであり、ランプ電流データＩｐ２は同じランプ電圧Ｖｌａに対してランプ電流データＩｐ１よりも大きい値（増加値）を持つように設定してある。ランプ電流データＩｐ１に対するランプ電流データＩｐ２の値の比率は経験的に設定される。
【００４８】
ランプ電流データＩｐ１とランプ電流データＩｐ２との比率（Ｉｐ２／Ｉｐ１）は、図８に示すように、ランプ電圧Ｖｌａにかかわらず一定する場合と、ランプ電圧Ｖｌａに応じて変化させる場合とがある。データテーブル３３においてランプ電流データＩｐ２を設定するランプ電圧Ｖｌａの範囲は、高圧放電ランプＬａを定常点灯させる通常の使用電圧範囲Ｄｖとすればよい。
【００４９】
ランプ電圧Ｖｌａに応じて変化させる場合には、図９に示すように、使用電圧範囲Ｄｖのうちランプ電圧Ｖｌａが規定電圧Ｖｄを超える範囲でランプ電流データＩｐ１に対するランプ電流データＩｐ２の比率を大きくするのが望ましい。これは、超高圧水銀ランプのような高圧放電ランプでは定常点灯の際に定電力制御を行っているから、ランプ電圧Ｖｌａが上昇するとランプ電流が減少して、電極やバルブ内の温度が低下しやすくなり、ちらつきを生じやすくなる可能性があるからである。
【００５０】
なお、ここでは高圧放電ランプＬａの定常点灯に関連する動作のみ説明し、高圧放電ランプＬａの始動までの動作、始動から定常点灯に至るまでの動作、高圧放電ランプＬａに異常が生じたときの動作、無負荷時の動作などについてはとくに説明しない。
【００５１】
電圧検出回路５で検出されたランプ電圧Ｖｌａをデータテーブル３３に照合するために、ランプ電圧Ｖｌａをアナログ−デジタル変換するＡ／Ｄ変換部３４が設けられる。ランプ電圧Ｖｌａをデータテーブル３３と照合することによって得られるランプ電流データＩｐ１，Ｉｐ２の値は、ＰＷＭ信号発生処理部３５によりデューティ信号（入力データに応じたオンデューティを有した矩形波信号）に変換される。したがって、このデューティ信号を積分ないし平滑することによりＰＷＭ制御回路３６に与える入力電圧を得ることができる。積分ないし平滑を行う積分回路は、ランプ電流データＩｐ１に対しては抵抗Ｒ４とコンデンサＣ４とにより構成され、ランプ電流データＩｐ２に対しては抵抗Ｒ５とコンデンサＣ５とにより構成される。
【００５２】
コンデンサＣ４，Ｃ５のいずれかの端子電圧をＰＷＭ制御回路３６に入力するために切換スイッチＳＷ１が設けられ、この切換スイッチＳＷ１を上述した切換信号Ｓ１で制御することにより、コンデンサＣ４，Ｃ５のいずれか一方の端子電圧がＰＷＭ制御回路３６に入力される。切換スイッチＳＷ１にはＭＯＳＦＥＴ、トランジスタ、アナログスイッチが用いられる。
【００５３】
ところで、ＰＷＭ制御回路３６には抵抗Ｒ１の両端電圧も入力されており、ＰＷＭ制御回路３６では、抵抗Ｒ１の両端電圧として検出されるスイッチング素子Ｑ１のオン時のチョッパ電流が、切換スイッチＳＷ１を通してＰＷＭ制御回路３６に与えられたランプ電流データＩｐ１，Ｉｐ２に保たれるように、スイッチング素子Ｑ１のオンデューティを制御する。すなわち、ランプ電流データＩｐ１，Ｉｐ２は、ランプ電圧Ｖｌａに応じたランプ電流の目標値としてＰＷＭ制御回路３６に与えられる。
【００５４】
なお、上述した制御回路３のうち、極性反転処理部３１、データテーブル３３、Ａ／Ｄ変換部３４はマイクロコンピュータ（たとえば、（株）ルネサステクノロジ製のＭ３７５４０、Ｍ３７５４２、Ｍ３７５４６）を用いて構成される。また、データテーブル３３を用いる代わりに適宜の演算を行ってランプ電流データＩｐ１，Ｉｐ２を求めるようにしてもよい。
【００５５】
以下に説明する各実施形態では、主として極性反転処理部３１の動作について説明する。すなわち、主制御回路２１から制御回路３に与えられる同期信号Ｓｓと、フルブリッジ回路２における極性反転のタイミングと、切換信号Ｓ１との関係について説明する。カラーフィルタ２０の構成については、基本的には図１２に示しているように色領域を３分割した構成のものを想定しているが（色領域をセグメントと呼び、３分割のフィルタを３セグメントのフィルタと呼ぶ）、他に図１０〜図１５のような各種のカラーフィルタ２０を用いてもよい。図１０〜図１５の各図（ａ）はカラーフィルタ２０の色の配置を示し、各図（ｂ）はカラーフィルタ２０を回転させたときの時間経過に伴う色変化を示している。
【００５６】
図１０に示すものは赤色領域Ｒ、緑色領域Ｇ、青色領域Ｂの３セグメントであって、回転方向おいて各領域を等分割したものである。また、図１１に示すものは白色領域Ｗを付加した４セグメント、図１２に示すものは赤色領域Ｒ、緑色領域Ｇ、青色領域Ｂに、黄色領域Ｙとシアン領域Ｃとマゼンタ領域Ｍとを付加した６セグメントのものである。図１３に示すものも６セグメントであるが、これは赤色領域Ｒ、緑色領域Ｇ、青色領域Ｂをそれぞれ２箇所ずつ設けている。図１４、図１５に示すものは、ともに７セグメントのカラーフィルタ２０であって、図１４に示すものは図１２に示した構成について緑色領域Ｇとシアン領域Ｃとの間に濃緑領域ＤＧを設けたものであり、図１５に示すものは図１３に示した構成について緑色領域Ｇと青色領域Ｂとの間に濃緑領域ＤＧを設けたものである。濃緑領域ＤＧは、緑色フィルタとＮＤフィルタとの機能を有するものであって、緑色を選択的に透過させかつ減光を行う。
【００５７】
以下に説明する各実施形態では、従来構成との比較を容易にするために、図１２に示したカラーフィルタ２０と同様に３セグメントであって、赤色領域Ｒを大きくとったものを例示する。ただし、上述した図１０〜図１５に示した構成のカラーフィルタ２０を用いる場合でも同様の構成を採用することができる。
【００５８】
（実施形態１）
本実施形態は、図１に示すように、カラーフィルタ２０の１回転毎（図１（ａ）参照）に主制御回路２１からの同期信号Ｓｓを受けており、極性反転処理部３１では、図１（ｂ）のように、高圧放電ランプＬａからの光線がカラーフィルタ２０の青色領域Ｂから赤色領域Ｒへの境界線を通過するタイミングに一致するタイミング信号を生成する。ここに、本実施形態では、主制御回路２１からの同期信号Ｓｓが青色領域Ｂから赤色領域Ｒへの境界線において立ち上がるものとする。
【００５９】
極性反転処理部３１では、図１（ｂ）に示すタイミング信号に同期するタイミングで、フルブリッジ回路２に設けたスイッチング素子Ｑ２〜Ｑ５のオンオフの状態を反転させ、図１（ｃ）のように、高圧放電ランプＬａに印加する電圧の極性を反転させる。また、タイミング信号の発生毎に、次のタイミング信号の発生まで極性を変化させない期間と、次のタイミング信号の発生までに極性を反転させる期間とを交互に設けている。
【００６０】
隣接する一対のタイミング信号の間で極性を反転させる場合には、カラーフィルタ２０の各色領域のうち、高圧放電ランプＬａからの光線の通過時間がもっとも長い赤色領域Ｒの通過期間に極性の反転を行うのが望ましい。同期信号Ｓｓに基づいて発生させるタイミング信号は、青色領域Ｂと赤色領域Ｒとの境界に対応しているが、赤色領域Ｒを光線が通過している期間か否かの判断はできない。したがって、極性の反転のタイミングは、タイミング信号の発生から所定時間に設定してある。言い換えると、極性反転処理部３１には、タイミング信号の発生から一定時間を時限するタイマが設けられ、タイマの時限終了時点で高圧放電ランプＬａに印加する電圧の極性を反転させる。隣接する一対の同期信号Ｓｓの間の期間内で、タイマによる時限時間（ランプ電流が増加値となる期間）は、前記規定値となる期間よりも短く設定される。
【００６１】
上述の動作から明らかなように、タイミング信号の発生毎にタイマによる時限動作を行う期間と、タイマによる時限動作を行わない期間とを交互に設ける。また、タイマによる時限動作を行う場合には、切換信号Ｓ１によって切換スイッチＳＷ１を制御し、ランプ電流を一時的に規定値よりも大きい増加値とするようにランプ電流データＩｐ２に対応した入力電圧をＰＷＭ制御回路３６に与える。
【００６２】
タイマの時限動作中にはランプ電流を増加値とするから、タイマの時限時間が長いと高圧放電ランプＬａの光出力に変化が生じたり、高圧放電ランプＬａの電極に損傷を与えたりする可能性がある。したがって、タイマの時限動作は２０ｍｓ未満に設定しておくことが望ましい。
【００６３】
本実施形態では、カラーフィルタ２０の１回転毎にタイミング信号を発生させているから、図１８に示した従来構成のように、色領域が変化するたびに同期信号を発生させる場合に比較すると、ランプ電流を一時的に増加させる期間と色領域との関係にずれが生じる可能性が低減される。また、図１７に示した構成のように、カラーフィルタ２０が１回転する期間はランプ電流の極性を変化させない場合に比較すると、ランプ電流を一時的に増加させる頻度を高めることができる。
【００６４】
たとえば、カラーフィルタ２０が１回転する期間にランプ電流の極性を反転させない場合において３回転のうちの１回転ではランプ電流を増加値とするとすれば、カラーフィルタ２０が６回転するうちの２回転分の期間はランプ電流が増加することになる。したがって、ランプ電流を増加させる頻度が少なく（カラーフィルタ２０が３回転する間に１回）、１回当たりの時間が長くなる（カラーフィルタ２０が１回転する期間）。
【００６５】
これに対して、本実施形態の動作であれば、カラーフィルタ２０が６回転するうちの３回転について一部期間だけランプ電流が増加するから、ランプ電流を増加させる頻度が多くなり（カラーフィルタ２０が２回転する間に１回）、１回当たりの時間が短くなる（カラーフィルタ２０が半回転する期間よりも短い）。ただし、赤色領域Ｒにおいてランプ電流の極性が反転しているから、赤色領域Ｒにおいて輝度変化が生じるが、赤色領域Ｒは緑色領域Ｇおよび青色領域Ｂに比較すると十分に面積が大きく、またカラーフィルタ２０が２回転する間に赤色領域Ｒの一部のみでランプ電流が増加するから、赤色領域Ｒでの輝度変化は視覚的には知覚されにくく、実質的な色味の変化は知覚されない。
【００６６】
本実施形態の動作では、高圧放電ランプＬａの電極やバルブ内の温度を維持するのに適した時間間隔に設定することが可能であり、しかも、ランプ電流を増加値とする時間は比較的短いから電極の損傷が生じにくくなる。
【００６７】
（実施形態２）
実施形態１では、同期信号Ｓｓの発生毎に次の同期信号Ｓｓの発生までの期間として、赤色領域Ｒの間にランプ電流の極性を反転させる期間とランプ電流の極性を反転させない期間とを設けているから、ランプ電流の極性を反転させる期間と反転させない期間とでは、赤色領域Ｒにおいて若干の輝度変化が生じる。つまり、極性を反転させる際に高圧放電ランプＬａの輝度が一瞬低下する。
【００６８】
そこで、本実施形態では、図２（ｃ）のように、ランプ電流を増加値とする期間において、同期信号Ｓｓに対応したタイミング信号（図２（ｂ）参照）の発生から一定時間である調節期間Δｔだけランプ電流を増加値とする場合に、ランプ電流を規定値とする期間においては、タイミング信号の発生から調節期間Δｔが経過した後にランプ電流の極性を反転させるようにしている。言い換えると、カラーフィルタ２０が２回転するたびにランプ電流の極性を反転させるとともに、極性の反転のタイミングをタイミング信号の発生から調節期間Δｔ後とし、さらに、極性反転の後に次の極性反転までの間に発生するタイミング信号に同期して調節期間Δｔだけ、ランプ電流を逆極性としてランプ電流の絶対値を大きくするのである。
【００６９】
本実施形態の動作では、カラーフィルタ２０の回転毎に赤色領域Ｒに対応してランプ電流の極性を反転させているから、極性の反転に伴う輝度の変化は発生しない。ランプ電流の変化に伴う輝度変化と、極性の反転に伴う輝度変化とのどちらが多いかは一慨に言えないが、本実施形態では実施形態１に比較すると、カラーフィルタ２０の回転周期毎に輝度に変化をもたらす要因を低減することができる。他の構成および動作は実施形態１と同様である。
【００７０】
（実施形態３）
実施形態１では、カラーフィルタ２０の１回転毎に主制御回路２１から同期信号Ｓｓが発生する構成を採用したが、本実施形態は図３に示すように、カラーフィルタ２０の色領域の変化毎に主制御回路２１から同期信号Ｓｓを発生させるものである。したがって、図３（ｂ）に示すように、カラーフィルタ２０の色領域の変化毎にタイミング信号が発生する。このようにカラーフィルタ２０が１回転する間に複数個のタイミング信号が発生すると、カラーフィルタ２０の回転毎に同じ色領域でランプ電流を増加させようとしても、タイミングのわずかなずれによって、ランプ電流を増加させる色領域にずれを生じることがある。
【００７１】
たとえば、実施形態１のように赤色領域Ｒでランプ電流を増加させるように設計している場合に、途中で緑色領域Ｇや青色領域Ｂでランプ電流が増加するようにタイミングのずれを生じる可能性がある。タイミングにずれが生じたとしても、元の状態に復帰すればよいが、タイミングのずれた状態が維持されると、設計した色領域とは異なる色領域でランプ電流が増加することになり、結果的に色味に変化が生じることになる。
【００７２】
そこで、本実施形態では、カラーフィルタ２０が１回転する期間として、極性を反転させる回数を奇数回とした（図示例では５回）期間と、偶数回とした（図示例では４回）期間とを交互に繰り返すようにしてある。図示例では、カラーフィルタ２０に３個の色領域が設けられている場合であって各色領域ごとにタイミング信号が発生する場合において、極性が３回反転するたびにランプ電流を増加値とする期間を設け、しかもランプ電流を増加値とする期間は次のタイミング信号が発生するまでの期間よりも短く設定していることになる。言い換えると、極性反転の回数が多い期間にはランプ電流を２回増加させ、極性反転の回数が少ない期間にはランプ電流を１回増加させていることになる。
【００７３】
ランプ電流を増加値とする期間を本実施形態のように設定しておくと、ランプ電流を増加値とする期間に対応する色領域がカラーフィルタ２０の回転毎に変化し、カラーフィルタ２０が複数回回転する期間について平均すれば、ランプ電流を増加値とする期間は特定の色領域に偏ることがないから、ランプ電流を増加値とする期間と色領域との関係がずれたとしても全体として色味に変化を生じることがない。その他の構成および動作は実施形態１と同様である。
【００７４】
（実施形態４）
上述した各実施形態では、主制御回路２１から極性反転処理部３１に同期信号Ｓｓが必ず入力されることを前提にしているが、極性反転処理部３１に同期信号Ｓｓが一旦入力された後にノイズや断線によって次の同期信号Ｓｓを受け取れない場合が生じる。
【００７５】
そこで、本実施形態では、同期信号Ｓｓを受け取った後に次の同期信号Ｓｓを受けるべき時間が経過しても次の同期信号Ｓｓを受け取れない場合に、極性反転処理部３１が適宜のタイミングでブリッジ制御信号ＦＢ１，ＦＢ２および切換信号Ｓ１を自動的に発生させるように構成してある。すなわち、極性反転処理部３１にタイマを内蔵してあり、同期信号Ｓｓを受信してから、タイマにより時限される規定の予定時間が経過しても次の同期信号Ｓｓを受け取ることができない場合に、タイマにあらかじめ設定されているタイミングで、ランプ電流の極性反転およびランプ電流の増加を行う。
【００７６】
本実施形態の動作例を図４に示す。図示例では同期信号Ｓｓが時間間隔Ｔで発生する場合を想定している。極性判定処理部３１に同期信号Ｓｓが入力されると（タイミング信号を生成すると）、タイマによって時間間隔Ｔよりも長く設定された制限時間ｔ１（＞Ｔ）の時限を開始する。制限時間ｔ１の時限が終了するまでに次のタイミング信号が発生すれば、タイマは再トリガされて再び制限時間ｔ１を時限する。つまり、タイマはリトリガラブルに構成されている。
【００７７】
一方、制限時間ｔ１の時限が終了した場合には、あらかじめ設定された制御パターンでランプ電流の極性反転とランプ電流の増加とを行う。ここに、制限時間ｔ１の間には高圧放電ランプＬａの電極間に印加される電圧の極性が反転しないから、高圧放電ランプＬａの一方の電極のみが損耗するおそれがある。したがって、制限時間ｔ１は同期信号Ｓｓが発生する時間間隔Ｔよりは長いが、高圧放電ランプＬａの電極が消耗しない程度の時間に設定される。
【００７８】
制限時間ｔ１の経過後における制御パターンは、たとえば、カラーフィルタ２０が１回転する時間よりは長く２回転する時間よりは短い時間内で設定され、この時間内の中間付近で１回だけランプ電流を増加値とする期間が生じるように制御パターンを設定してある。つまり、ランプ電流を増加値とする期間の前後においてランプ電流を規定値とする期間を設けてある。また、ランプ電流を増加値とする期間とランプ電流を規定値とする期間とは極性を反転してある。ここに、ランプ電流を増加値とする期間を時間ｔ３だけ継続させるものとし、その前後においてランプ電流を増加値とする期間を時間ｔ２，ｔ４だけ継続するものとしたときに、時間ｔ２，ｔ４は等しく設定するのが望ましいが、異なっていてもよい。また、時間ｔ２，ｔ４と時間ｔ３との関係はどのように設定してもよい。
【００７９】
極性反転処理部３１に同期信号Ｓｓが入力されなくなると、上述した制御パターンに従って高圧放電ランプＬａに印加する電圧の極性およびランプ電流を制御するようにブリッジ制御信号ＦＢ１，ＦＢ２および切換信号Ｓ１を生成し、次に同期信号Ｓｓが入力されるまで上述した制御パターンによる動作を繰り返す。なお、同期信号Ｓｓが入力されない場合には、異常が生じている可能性があるから、制御パターンによる動作が規定した時間継続する場合には異常を報知するようにしてもよい。他の構成および動作は実施形態１と同様である。
【００８０】
（実施形態５）
実施形態２において説明した動作では、カラーフィルタ２０の赤色領域Ｒで高圧放電ランプＬａに印加するランプ電圧の極性が反転する構成を採用しているから、赤色領域Ｒにおいて輝度変化が生じる。この輝度変化はほとんど知覚されないが、色味に若干の変化を生じる可能性がある。
【００８１】
そこで、本実施形態では、図２の動作において、同期信号Ｓｓに対応したタイミング信号の発生から調節期間Δｔは、スクリーンに光を投影しないようにしている。つまり、タイミング信号の発生から調節期間Δｔにおいて光を利用しないのであって、具体的には、調節期間Δｔには高圧放電ランプＬａからの光が投射レンズ１４に向かって反射されないようにＤＭＤ１１を制御する技術と、カラーフィルタ２０において調節期間Δｔに相当する領域に光を遮断する遮光領域を設ける技術とのいずれかを採用する。この動作により、ランプ電流を増加値としている期間には光は投影されず、また、ランプ電流が規定値であっても調節期間Δｔには光は投影されない。
【００８２】
ＤＭＤ１１は従来技術として説明したように多数個の微小なミラーを配列したものであり、ミラーの向きを変化させることにより、投射レンズ１４に向かって光を反射させる状態と、高圧放電ランプｌａからの光を投射レンズ１４に通さない状態とを選択することができるように構成されている。ＤＭＤ１１においては、前者の状態をオン、後者の状態をオフと呼んでいる。したがって、タイミング信号の発生から調節期間ΔｔはＤＭＤ１１をオフにすることにより、この調節期間Δｔにおいてスクリーンに光を投影しない状態を作り出すことができる。
【００８３】
なお、実際にはＤＭＤ１１をオフにする時間や遮光領域が通過する時間を調節期間Δｔと一致させるのは困難であるから、ＤＭＤ１１をオフにする時間や遮光領域が通過する時間を調節期間Δｔよりも長く設定しておくのが望ましい。他の構成および動作は実施形態２と同様である。
【００８４】
（実施形態６）
本実施形態は、実施形態３と同様に、カラーフィルタ２０の色領域の変化毎に主制御回路２１から同期信号Ｓｓを発生させるものである。ただし、実施形態３ではカラーフィルタ２０が１回転する間にランプ電流を増加値とする期間を奇数回設ける期間と偶数回設ける期間とを交互に繰り返すようにしていたが、本実施形態では図５に示すようにカラーフィルタ２０が１回転する間にランプに印加する電圧の極性を反転させる回数がつねに奇数回（図示例では５回）になるようにしてある。
【００８５】
図５（ｃ）に示す例では緑色領域Ｇと青色領域Ｂとに対応付けてランプ電流を調節期間Δｔずつ増加させており、図５（ｄ）に示す例では青色領域Ｂと赤色領域Ｒとに対応付けてランプ電流を調節期間Δｔずつ増加させている。また、図５（ｃ）（ｄ）に示す例ではランプ電流を規定値とする色領域（図５（ｃ）では赤色領域Ｒ、図５（ｄ）では緑色領域Ｇ）においてタイミング信号の発生直後に極性の反転を行っているが、図５（ｅ）に示すように、タイミング信号の発生から調節期間Δｔの経過後に極性を反転するようにしてもよい。要するに実施形態２と同様の動作を行うようにしてもよい。
【００８６】
また、図５（ｃ）（ｄ）（ｅ）のいずれの動作の場合についても、実施形態５と同様に、タイミング信号の発生から少なくとも調節期間Δｔは投射レンズ１４からスクリーンに光が投影されないようにする技術を採用してもよい。すなわち、調節期間ΔｔにおいてＤＭＤ１１をオフにするか、カラーフィルタ２０において調節期間Δｔに対応する領域を遮光領域とすればよい。他の構成および動作は実施形態１と同様である。
【図面の簡単な説明】
【００８７】
【図１】実施形態１を示す動作説明図である。
【図２】実施形態２を示す動作説明図である。
【図３】実施形態３を示す動作説明図である。
【図４】実施形態４を示す動作説明図である。
【図５】実施形態６を示す動作説明図である。
【図６】各実施形態に共通に用いる高圧放電灯点灯装置を示す回路図である。
【図７】各実施形態に共通に用いる画像表示装置の概略構成図である。
【図８】同上に用いるデータテーブルの設定例を示す図である。
【図９】同上に用いるデータテーブルの他の設定例を示す図である。
【図１０】同上に用いるカラーフィルタを示し、（ａ）は色領域の配置を示す図、（ｂ）は色領域の変化を示す図である。
【図１１】同上に用いるカラーフィルタを示し、（ａ）は色領域の配置を示す図、（ｂ）は色領域の変化を示す図である。
【図１２】同上に用いるカラーフィルタを示し、（ａ）は色領域の配置を示す図、（ｂ）は色領域の変化を示す図である。
【図１３】同上に用いるカラーフィルタを示し、（ａ）は色領域の配置を示す図、（ｂ）は色領域の変化を示す図である。
【図１４】同上に用いるカラーフィルタを示し、（ａ）は色領域の配置を示す図、（ｂ）は色領域の変化を示す図である。
【図１５】同上に用いるカラーフィルタを示し、（ａ）は色領域の配置を示す図、（ｂ）は色領域の変化を示す図である。
【図１６】カラーフィルタの色領域の配置を示す図である。
【図１７】従来構成の動作説明図である。
【図１８】他の従来構成の動作説明図である。
【符号の説明】
【００８８】
１  降圧チョッパ回路（直流電源回路）
２  フルブリッジ回路（極性反転回路）
３  制御回路
４  共振回路（極性反転回路）
２０  カラーフィルタ
２１  主制御回路
３０  高圧放電灯点灯装置
３３  データテーブル
Ｌａ  高圧放電ランプ
Ｓｓ  同期信号
ｔ１  制限時間
【図１】
0004665799.tif 000002
【図２】
0004665799.tif 000003
【図３】
0004665799.tif 000004
【図４】
0004665799.tif 000005
【図５】
0004665799.tif 000006
【図６】
0004665799.tif 000007
【図７】
0004665799.tif 000008
【図８】
0004665799.tif 000009
【図９】
0004665799.tif 000010
【図１０】
0004665799.tif 000011
【図１１】
0004665799.tif 000012
【図１２】
0004665799.tif 000013
【図１３】
0004665799.tif 000014
【図１４】
0004665799.tif 000015
【図１５】
0004665799.tif 000016
【図１６】
0004665799.tif 000017
【図１７】
0004665799.tif 000018
【図１８】
0004665799.tif 000019